(57)【要約】【課題】  軽量及び小型なコードハンガーを提供する。【解決手段】  心電図ケーブルを吊り下げるコードハンガー１０は、一端が心電計又はその近傍に固定され、一端より上方に伸びる第１棒状部１２と、第１棒状部分１２の他端に連結され、水平方向に伸びる第２棒状部２０と、を備えている。第１棒状部１２は、第２棒状部２０の中間部分１６に連結されている。第２棒状部２０の一端には、心電図ケーブルを吊り下げる第１フック部２６が設けられると共に、第２棒状部２０の他端には、心電図ケーブルを吊り下げる第２フック部２２が設けられている。【選択図】図１
0003204098.tif 000002
【実用新案登録請求の範囲】
【請求項１】
心電図ケーブルを吊り下げるコードハンガーであって、
一端が心電計又はその近傍に固定され、前記一端より上方に伸びる第１棒状部と、
前記第１棒状部分の他端に連結され、水平方向に伸びる第２棒状部と、を備えており、
前記第１棒状部は、前記第２棒状部の中間部分に連結されており、
前記第２棒状部の一端には、前記心電図ケーブルを吊り下げる第１フック部が設けられると共に、前記第２棒状部の他端には、前記心電図ケーブルを吊り下げる第２フック部が設けられている、コードハンガー。
【請求項２】
前記第２棒状部は、前記第１棒状部が連結される連結部位と前記第１フック部との間に設けられ、前記心電図ケーブルのエーカクリップを吊り下げる第３フック部をさらに備えている、請求項１に記載のコードハンガー。
【請求項３】
前記第３フック部の幅は、前記第１フック部の幅より広い、請求項２に記載のコードハンガー。
【請求項４】
前記第３フック部の深さは、前記第１フック部の深さよりも浅い、請求項２又は３に記載のコードハンガー。
【請求項５】
前記第１フック部の形状は、前記第２フック部の形状と同一である、請求項１〜４のいずれか一項に記載のコードハンガー。
【請求項６】
前記第２棒状部と前記第１棒状部が連結される連結部位から前記第１フック部までの距離は、前記連結部位から前記第２フック部までの距離よりも長い、請求項１〜５のいずれか一項に記載のコードハンガー。
【請求項７】
前記第２棒状部は、一本の長尺状材料により形成されており、
前記長尺状材料が屈曲することで、前記第１フック部と前記第２フック部が形成されている、請求項１〜６のいずれか一項に記載のコードハンガー。
【請求項８】
前記第１棒状部は、一本の長尺状材料により形成されており、その一端から他端まで直線状に伸びている、請求項１〜７のいずれか一項に記載のコードハンガー。
【考案の詳細な説明】
【技術分野】
【０００１】
本明細書に開示の技術は、心電図ケーブルを吊り下げるコードハンガーに関する。
【背景技術】
【０００２】
心電図を計測するための装置が開発されている（例えば、特許文献１）。このような装置においては、心電計と被測定者とを接続するために心電図ケーブルが用いられる。心電図ケーブルは、通常、その一端が心電計に接続され、その他端に電極又はエーカクリップが設けられる。心電図を計測する際は、心電図ケーブルの電極又はエーカクリップを被測定者の所定の部位に取付けて計測を行う。心電計と被測定者とを接続するためには、心電図ケーブルのケーブル長をある程度の長さとする必要がある。このため、心電図を計測しないときに、心電図ケーブルを収容するコードハンガーが開発されている。
【先行技術文献】
【特許文献】
【０００３】
【特許文献１】実開平６−３３５４５８号公報
【考案の概要】
【考案が解決しようとする課題】
【０００４】
図４に示すように、従来のコードハンガー６０は、心電計の近傍（例えば、心電計が載置される台車の上面６６）に固定される。コードハンガー６０は、固定端より上方に伸びる第１棒状部６２と、第１棒状部６２の先端に連結される第２棒状部６４を備えている。第２棒状部６４は、水平方向に伸びており、その中間にハンガー部６６が設けられている。ハンガー部６６には、心電図ケーブル３０，３４が吊り下げられている。
【０００５】
従来のコードハンガー６０では、第１棒状部６２の先端に第２棒状部６４の基端が片持ち支持されている。そして、片持ち支持された第２棒状部６４に、心電図ケーブル３０，３４が吊り下げられている。このため、第１棒状部６２及び第２棒状部６４の剛性を高くする必要があり、その結果、コードハンガー６０の重量及び体積が大きくなるという問題があった。本明細書は、軽量及び小型なコードハンガーを提供することを目的とする。
【課題を解決するための手段】
【０００６】
本明細書に開示するコードハンガーは、心電図ケーブルを吊り下げるコードハンガーであって、一端が心電計又はその近傍に固定され、その一端より上方に伸びる第１棒状部と、第１棒状部分の他端に連結され、水平方向に伸びる第２棒状部と、を備えている。第１棒状部は、第２棒状部の中間部分に連結されている。第２棒状部の一端には、心電図ケーブルを吊り下げる第１フック部が設けられると共に、第２棒状部の他端には、心電図ケーブルを吊り下げる第２フック部が設けられている。
【０００７】
このコードハンガーでは、第２棒状部の中間部分に第１棒状部の他端が連結され、第２棒状部の両端にフック部が設けられている。このため、第１フック部に吊り下げられた心電図ケーブルの重量と、第２フック部に吊り下げられた心電図ケーブルの重量とをバランスさせることができる。これによって、第１棒状部及び第２棒状部に要求される剛性を低くすることができ、コードハンガーを軽量及び小型化することができる。
【図面の簡単な説明】
【０００８】
【図１】実施例に係るコードハンガーの正面図（心電図ケーブルを吊り下げていない状態）。
【図２】実施例に係るコードハンガーの正面図（心電図ケーブルを吊り下げた状態）。
【図３】実施例に係るコードハンガーを、心電計を載置した台車に取付けた状態を示す図。
【図４】従来のコードハンガーの概略構成を示す模式図（心電図ケーブルを吊り下げた状態）。
【考案を実施するための形態】
【０００９】
本明細書に開示するコードハンガーにおいては、第２棒状部は、第１棒状部が連結される連結部位と第１フック部との間に設けられ、心電図ケーブルのエーカクリップを吊り下げる第３フック部をさらに備えていてもよい。このような構成によると、エーカクリップが設けられた心電図ケーブルと、胸部電極が設けられた心電図ケーブルを異なる位置に吊り下げることができ、心電図ケーブルの取り扱いを容易に行うことができる。また、第３フック部にエーカクリップを吊り下げることで、エーカクリップが第３フック部に保持された状態を維持し易くなる。その結果、エーカクリップが第２棒状部に沿って第２棒状部の軸線方向に移動し、他のフック部に吊り下げられた心電図ケーブル等と干渉することを防止することができる。
【００１０】
本明細書に開示するコードハンガーにおいては、第３フック部の幅は、第１フック部の幅より広くされていてもよい。このような構成によると、エーカクリップが設けられた心電図ケーブルと、胸部電極が設けられた心電図ケーブルを適切に吊り下げることができる。
【００１１】
本明細書に開示するコードハンガーにおいては、第３フック部の深さは、第１フック部の深さよりも浅くされていてもよい。このような構成によると、エーカクリップが設けられた心電図ケーブルと、胸部電極が設けられた心電図ケーブルを適切に吊り下げることができる。
【００１２】
本明細書に開示するコードハンガーにおいては、第１フック部の形状は、第２フック部の形状と同一としてもよい。このような構成によると、コードハンガーの構成をよりシンプルにすることができる。
【００１３】
本明細書に開示するコードハンガーにおいては、第２棒状部と第１棒状部が連結される連結部位から第１フック部までの距離は、連結部位から第２フック部までの距離よりも長くされていてもよい。
【００１４】
本明細書に開示するコードハンガーにおいては、第２棒状部は、一本の長尺状材料により形成され、その長尺状材料が屈曲することで、第１フック部と第２フック部が形成されていてもよい。このような構成によると、第２棒状部を安価に形成することができる。
【００１５】
本明細書に開示するコードハンガーにおいては、第１棒状部は、一本の長尺状材料により形成されており、その一端から他端まで直線状に伸びていてもよい。このような構成によると、第１棒状部を安価に形成することができる。
【実施例】
【００１６】
本実施例のコードハンガー１０は、心電図ケーブル３０，３４（図２参照）を効率的に収容するためのものであり、例えば、心電計台車４０（図３参照）に取付けられて用いられる。図１に示すように、本実施例のコードハンガー１０は、第１棒状部１２と、第１棒状部１２に固定された第２棒状部２０を備えている。
【００１７】
第１棒状部１２は、１本の金属製（例えば、鋼製）の長尺状材料（例えば、断面円形の棒材）によって形成されている。第１棒状部１２は、その下端から上端まで上下方向に直線状に伸びている。第１棒状部１２の下端には、他の部分と比較して小径の差込部１４が形成されている。差込部１４は、後述する心電計台車４０の天板４８（図３参照）に設けられた貫通孔（図示しない）に差込可能となっている。
【００１８】
第２棒状部２０は、第１棒状部１２の上端に溶接によって連結されている。第２棒状部２０と第１棒状部１２の連結部１６は、第２棒状部２０の中間部分に設けられている。第１棒状部１２と第２棒状部２０とが溶接により連結されていることから、第１棒状部１２に対する第２棒状部２０の相対変位は不能となっている。
【００１９】
第２棒状部２０は、第１棒状部１２と同様、１本の金属製（例えば、鋼製）の長尺状材料（例えば、断面円形の棒材）によって形成されている。第２棒状部２０は、全体として水平方向に伸びている。第２棒状部２０の長さは、第１棒状部１２の長さよりも長い。第２棒状部２０は、その両端及び中間部位が屈曲されることで、第１フック部２６と第２フック部２２と第３フック部２４が形成されている。
【００２０】
第１フック部２６は、第２棒状部２０の一端に形成されている。第１フック部２６には、後述するように心電図ケーブル３０が吊り下げられる（図２参照）。第２フック部２２は、第２棒状部２０の他端に形成されている。第２フック部２２には、後述するように心電図ケーブル３０，３４が吊り下げられる。第１フック部２６と第２フック部２２は、同一形状（すなわち、同一の深さ、かつ、同一の幅）に形成されている。第１フック部２６と第２フック部２２を同一形状とすることで、製造工程が簡素化でき、製造コストを安価にすることができる。図１から明らかなように、第２棒状部２０と第１棒状部１２が連結される連結部１６から第１フック部２６までの距離は、連結部１６から第２フック部２２までの距離よりも長くされている。
【００２１】
第３フック部２４は、連結部１６と第１フック部２６の間に形成されている。第３フック部２４には、後述するように心電図ケーブル３４のエーカクリップ３６が吊り下げられる。第３フック部２４は、第１フック部２６とは異なる形状に形成されている。具体的には、第３フック部２４の幅は、第１フック部２６の幅よりも広く、かつ、第３フック部２４の深さは、第１フック部２６の深さよりも浅くされている。これによって、エーカクリップ３６を効率的に吊り下げることができる。
【００２２】
図３に示すように、上述したコードハンガー１０は、心電計台車４０に取付けられる。心電計台車４０は、支柱の下端に設けられた脚部４２と、支柱の上端に設けられた天板４８及び把持部４６と、支柱の中間部に設けられたトレー４４を備えている。天板４８の上面には心電計５０が載置される。上述したように、天板４８には図示しない貫通孔が形成され、その貫通孔にコードハンガー１０の差込部１４が差込まれている。心電計台車４０は、医療関係者（例えば、検査者又は看護師）が把持部４６を握って力を加えることで、床面を移動可能となっている。
【００２３】
心電計台車４０に取付けられたコードハンガー１０には、図２に示すように、心電図ケーブル３０，３４が吊り下げられる。心電図ケーブル３０，３４の一端は心電計５０に接続されている。心電図ケーブル３０の他端には胸部電極３２が設けられ、心電図ケーブル３４の他端にはエーカクリップ３６が設けられている。心電図ケーブル３０は、胸部電極３２側の端部が第１フック部２６に吊り下げられ、心電計５０側の端部が第２フック部２２に吊り下げられる。心電図ケーブル３４は、心電計５０側の端部が第２フック部２２に吊り下げられ、エーカクリップ３６が第３フック部２４に吊り下げられる。なお、エーカクリップ３６が第３フック部２４に吊り下げられるため、心電図台車４０を移動させる時の振動等によって、エーカクリップ３６が位置ズレしてコードハンガー１０より落下することを防止することができる。すなわち、第２棒状部２０に第３フック部２４が設けられていない場合、エーカクリップ３６は振動等によって第２棒状部２０に沿って位置ズレを生じ、第１フック部２６に干渉して落下する虞がある。本実施例のコードハンガー１０では、エーカクリップ３６を第３フック部２４に吊り下げるため、エーカクリップ３６が好適にコードハンガー１０に保持され、コードハンガー１０からの落下等を防止することができる。被験者の心電図を計測する際は、胸部電極３２及びエーカクリップ３６が被測定者に接続される。
【００２４】
本実施例のコードハンガー１０では、第２棒状部２０の中間部分に第１棒状部１２が連結され、第２棒状部２０の一方側に第１フック部２６及び第３フック部２４が設けられ、第２棒状部２０の他方側に第２フック部２２が設けられている。このため、第１フック部２６及び第３フック部２４に吊り下げられる心電図ケーブル３０，３４の重量と、第２フック部２２に吊り下げられる心電図ケーブル３０，３４の重量とをバランスさせることができる。これによって、第１棒状部１２及び第２棒状部２０に要求される剛性を低くすることができ、コードハンガー１０を軽量及び小型化することができる。
【００２５】
また、コードハンガー１０を軽量及び小型化できることから、心電計台車４０の転倒を防止しながら、心電計台車４０を軽量化することができる。心電計台車４０を軽量化できることから、心電計台車４０の取り回しが向上し、医療現場の環境向上にも寄与することができる。
【００２６】
以上、本考案のいくつかの実施例について詳細に説明したが、これらは例示に過ぎず、実用新案登録請求の範囲を限定するものではない。実用新案登録請求の範囲に記載の技術には、以上に例示した具体例を様々に変形、変更したものが含まれる。本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００２７】
１０：コードハンガー
１２：第１棒状部
２０：第２棒状部
２２：第２フック部
２４：第３フック部
２６：第１フック部
３０：心電図ケーブル
３２：胸部電極
３４：心電図ケーブル
３６：エーカクリップ
【図１】
0003204098.tif 000003
【図２】
0003204098.tif 000004
【図３】
0003204098.tif 000005
【図４】
0003204098.tif 000006